【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
シューソールであって、
ａ．  該シューソールの前部分に配置された第１の荷重分散プレート（１００）、
ｂ．  少なくとも外側（１１０，１１２）と内側（１１１，１１３）の変形可能部材、
を有してなり、
ｃ．  前記前部分の後端から始まる前記第１の荷重分散プレート（１００）が、前記外側（１１０，１１２）と内側（１１１，１１３）の変形可能部材を少なくとも部分的に包囲していることを特徴とするシューソール。
【請求項２】
前記外側（１１０，１１２）と内側（１１１，１１３）の変形可能部材が、前記シューソールの荷重の元で独立して変形できるように、前記第１の荷重分散プレート（１００）の下に、互いから間隙（１２０）を介して配置されていることを特徴とする請求項１記載のシューソール。
【請求項３】
前記第１の荷重分散プレート（１００）が、前方に開いたＵ字形の形状を持つことを特徴とする請求項１記載のシューソール。
【請求項４】
前記第１の荷重分散プレート（１００）が、独立して歪められる外側（１０５）と内側（１０６）の下側を有してなることを特徴とする請求項３記載のシューソール。
【請求項５】
前記外側（１０５）と内側（１０６）の下側が、前記第１の荷重分散プレート（１００）の切込みセクション（１０７）により互いから分離されていることを特徴とする請求項４記載のシューソール。
【請求項６】
前記第１の荷重分散プレート（１００）が、前記外側（１０５）と内側（１０６）の下側よりも前方にさらに延在している上側（１０９）を含むことを特徴とする請求項４または５記載のシューソール。
【請求項７】
後外側変形可能部材（１１０）、前外側変形可能部材（１１２）、後内側変形可能部材（１１１）および前内側変形可能部材（１１３）が、前記第１の荷重分散プレート（１００）の下に互いから間隙（１２０）を介して配置されていることを特徴とする請求項１から６いずれか１項記載のシューソール。
【請求項８】
爪先変形可能部材（１１４）が、他の変形可能部材（１１０，１１１，１１２，１１３）から間隙（１２０）を介して、前記第１の荷重分散プレート（１００）の下の最先端部分に配置されていることを特徴とする請求項７記載のシューソール。
【請求項９】
前記爪先変形可能部材（１１４）が前方に前記第１の荷重分散プレート（１００）を越え、高弾性を有することを特徴とする請求項８記載のシューソール。
【請求項１０】
前記後外側変形可能部材（１１０）、前記前外側変形可能部材（１１２）、前記後内側変形可能部材（１１１）、前記前内側変形可能部材（１１３）および前記爪先変形可能部材（１１４）の間の間隙（１２０）が直線であることを特徴とする請求項８または９記載のシューソール。
【請求項１１】
前記第１の荷重分散プレート（１００）の下に、前記変形可能部材（１１０，１１１，１１２，１１３，１１４）の前記直線の間隙（１２０）に沿って少なくとも１つの突状（１０１）が配置されていることを特徴とする請求項１０記載のシューソール。
【請求項１２】
前記後変形可能部材（１１０，１１１）が、前記前変形可能部材（１１２，１１３）とは異なる硬度を持つことを特徴とする請求項７から１１いずれか１項記載のシューソール。
【請求項１３】
前記変形可能部材（１１０，１１１，１１２，１１３，１１４）の弾性が後方から前方に増加することを特徴とする請求項１２記載のシューソール。
【請求項１４】
前記外側変形可能部材（１１０，１１２）が、前記内側変形可能部材（１１１，１１３）とは異なる硬度を持つことを特徴とする請求項１から１３いずれか１項記載のシューソール。
【請求項１５】
ｄ．  前記シューソールの踵部分に配置された第２の荷重分散プレート、
ｅ．  踵と最初に地面に接触する最中の前記シューソールの緩衝特性を決定する、前記第２の荷重分散プレート（１０）の下に配置された少なくとも１つの緩衝部材（２０）、
ｆ．  前記最初の地面との接触後に足を中立位置に持っていく材料特性を有する、前記第２の荷重分散プレート（１０）の下に配置された少なくとも１つの誘導部材（２１，２２）、
をさらに有することを特徴とする請求項１から１４いずれか１項記載のシューソール。
【請求項１６】
前記第２の荷重分散プレート（１０）の下に、一歩一歩の周期の転がし離し相への移行中に過剰な回内を防ぐ材料特性を有する安定化部材（２３）が追加に配置されていることを特徴とする請求項１５記載のシューソール。
【請求項１７】
前記第２の荷重分散プレート（１０）の下に、外側（２１）と内側（２２）の誘導部材が配置されていることを特徴とする請求項１６記載のシューソール。
【請求項１８】
前記緩衝部材（２０）、前記２つの誘導部材（２１，２２）および前記安定化部材（２３）の各々が、前記第２の荷重分散プレート（１０）の下の区域の実質的にセクター状部分を占めることを特徴とする請求項１７記載のシューソール。
【請求項１９】
前記荷重分散プレート（１０）の下の区域の後外側部分を前記緩衝部材（２０）が実質的に占め、前外側部分を前記第１の誘導部材（２１）が実質的に占め、後内側部分を前記第２の誘導部材（２２）が実質的に占め、前内側部分を前記安定化部材（２３）が実質的に占めることを特徴とする請求項１８記載のシューソール。
【請求項２０】
前記緩衝部材（２０）、前記２つの誘導部材（２１，２２）および前記安定化部材（２３）の各々が、互いから間隙（２７）を介して配置されていることを特徴とする請求項１９記載のシューソール。
【請求項２１】
前記間隙（２７，１２０）の内の少なくとも１つに、追加の強化部材が配置されていることを特徴とする請求項２０記載のシューソール。
【請求項２２】
前記第１の誘導部材（２１）および／または第２の誘導部材（２２）が、前記緩衝部材（２０）よりも大きい硬度を持つことを特徴とする請求項１７から２１いずれか１項記載のシューソール。
【請求項２３】
前記第１の誘導部材（２１）および／または第２の誘導部材（２２）および／または前記安定化部材（２３）の硬度が後方から前方に増加することを特徴とする請求項１７から２２いずれか１項記載のシューソール。
【請求項２４】
前記安定化部材（１３）が側方に前記第２の荷重分散プレート（１０）を越えることを特徴とする請求項１７から２３いずれか１項記載のシューソール。
【請求項２５】
前記第２の荷重分散プレート（１０）が、前記緩衝部材（２０）および／または前記誘導部材（２１，２２）および／または前記安定化部材（２３）を、少なくとも部分的にＵ字状に包囲することを特徴とする請求項１５から２４いずれか１項記載のシューソール。
【請求項２６】
前記Ｕ字状の包囲体が、足の前部分に向けて前記第２の荷重分散プレートの端部に配置されていることを特徴とする請求項２５記載のシューソール。
【請求項２７】
前記緩衝部材（２０）および／または前記誘導部材（２１，２２）および／または前記安定化部材（２３）および／または前記変形可能部材（１１０，１１１，１１２，１１３，１１４）の下にさらに連続した本底（３０，２００）が配置されていることを特徴とする請求項１５から２６いずれか１項記載のシューソール。
【請求項２８】
前記本底（２００）が蛇腹状接続部（２０１）を備えて、前記緩衝部材（２０）、前記誘導部材（２１，２２）、前記安定化部材（２３）および前記変形可能部材（１１０，１１１，１１２，１１３，１１４）の独立した変形を可能にしていることを特徴とする請求項２７記載のシューソール。
【請求項２９】
前記第１と第２の荷重分散プレートが互いに接続されていることを特徴とする請求項１から２８いずれか１項記載のシューソール。
【請求項３０】
請求項１から２９いずれか１項記載のシューソールを備えたシューズ。